(57)【要約】      （修正有）【課題】この考案は、軽量で誰もが簡単に持ち運びが出来て、しかも、折り畳み・分割式で収納場所をとらない安価な各種パンフレット展示用折り畳み収納式ラックを開発・提供する事にある。【解決手段】前面中央部に所定の間隔を空けた複数の段違いのパンフレット９収納用棚枠１ａと上下ほぼ中程部にヒンジ部１０１を設けた枠状のフレーム１と、ヒンジ部を支点にして前後方向に開閉可能なスタンド２と、フレームとスタンド間を所定の角度で係止可能な収納式係止部材３と、フレーム上端前面部に係止し、使用目的・用途に応じて取替え可能な表示板４を設けたものである。【選択図】図６
0003110151.tif 000002
【実用新案登録請求の範囲】
【請求項１】
展示用ラックの上部に、表示板（４）を取り替え可能に設けた事を特徴とする各種パンフレット展示用ラック。
【請求項２】
前面中央部に所定間隔（Ｌ）を空けた複数の段違いのパンフレット（Ｐ）収納用棚枠（１ａ）と上下ほぼ中程部にヒンジ部（１ｂ）を設けた枠状のフレーム（１）と、ヒンジ部（１ｂ）を支点にして前後方向に開閉可能なスタンド（２）と、フレーム（１）とスタンド（２）間を安定した所定の角度（α）で係止可能な収納式係止部材（３）を組み合わせて成る各種パンフレット展示用ラックと、ラックの上部に係止し、使用目的・用途に応じて取り替え可能な表示板（４）とで成る事を特徴とする請求項１記載の各種パンフレット展示用ラック。
【請求項３】
表示板（４）は、展示用ラックの上部と嵌脱可能に設ける事を特徴とする請求項１記載の各種パンフレット展示用ラック。
【考案の詳細な説明】
【技術分野】
【０００１】
この考案は、各種パンフレット展示用ラックに関するものである。
【背景技術】
【０００２】
従来、展示会等で使用するパンフレット等の広告・宣伝チラシ展示用棚は薄肉折り曲げ鋼板や木製の固定棚が多く使用されているが、場所をとるだけでなく、重量的にも重く、コストも高価であり、又、不要になった際に片付けるのに手間が掛かる等、保管場所や作業効率的な問題があった。
【０００３】
又、棚に展示するチラシの内容に合わせた表示板もその都度取り替える必要があり、その表示板の作成及び取り付け、取り外しにも時間を費やしていた。
【０００４】
又、これまでに出願された折り畳み式ラックの参考文献を紹介する。（特許文献１〜３参考。）
【特許文献１】特開平９−０６６８３６
【特許文献２】特開平９−２５２８５１
【特許文献３】特開２００２−１２３２５５
【考案の開示】
【考案が解決しようとする課題】
【０００５】
そこで、上記課題を解決する為に、この考案は、軽量で誰もが簡単に持ち運びが出来て、しかも、折り畳み・分割式で収納場所をとらない安価な各種パンフレット展示用ラックを開発・提供する事にある。
【課題を解決するための手段】
【０００６】
この課題を解決する為の手段として、この考案は、前面中央部に所定間隔を空けた複数の段違いのパンフレット収納用棚枠と上下ほぼ中程部にヒンジ部を設けた枠状のフレームと、ヒンジ部を支点にして前後方向に開閉可能なスタンドと、フレームとスタンド間を安定した所定の角度で係止可能な収納式係止部材を組み合わせて成る各種パンフレット展示用ラックと、ラックの上部に係止し、使用目的・用途に応じて取り替え可能な表示板を設けたものである。
【考案の効果】
【０００７】
この考案の効果として、前面中央部に所定間隔を空けた複数の段違いのパンフレット収納用棚枠と上下ほぼ中程部にヒンジ部を設けた枠状のフレームと、ヒンジ部を支点にして前後方向に開閉可能なスタンドと、フレームとスタンド間を安定した所定の角度で係止可能な収納式係止部材を組み合わせて成る各種パンフレット展示用ラックと、ラックの上部に係止し、使用目的・用途に応じて取り替え可能な表示板を設ける事で、軽量で誰もが簡単に持ち運びが出来て、しかも、折り畳み・分割式で収納場所をとらず、しかも、コスト的にも安価である等、極めて有益なる効果を奏するものである。
【考案を実施するための最良の形態】
【０００８】
この考案の最良の形態として、軽量・安価で多用途に使用可能で、誰もが簡単に持ち運びが出来て、しかも、折り畳み収納可能にする為に、チラシの大きさに適合し、構造が簡単なパンフレット収納用棚枠を有する枠状フレームと容易に取り外し交換可能な表示板を設ける事が重要である。
【実施例１】
【０００９】
そこで、この考案の一実施例を図１〜図４に基づいて詳述すると、展示用ラックの上部に、表示板（４）を取り替え可能に設けた事を特徴とする各種パンフレット展示用ラックから構成される。
【００１０】
又、前面中央部に所定間隔（Ｌ）を空けた複数の段違いのパンフレット（Ｐ）収納用棚枠（１ａ）と上下ほぼ中程部にヒンジ部（１ｂ）を設けた枠状のフレーム（１）と、ヒンジ部（１ｂ）を支点にして前後方向に開閉可能なスタンド（２）と、フレーム（１）とスタンド（２）間を安定した所定の角度（α）で係止可能な収納式係止部材（３）を組み合わせて成る各種パンフレット展示用ラックと、ラックの上部に係止し、使用目的・用途に応じて取り替え可能な表示板（４）とで成る事を特徴とする各種パンフレット展示用ラックから構成される。
【００１１】
又、表示板（４）は、展示用ラックの上部と嵌脱可能に設ける事を特徴とする各種パンフレット展示用ラックから構成される。
【００１２】
次に、この考案の寸法形状・材質等について概要を説明すると、まず、枠状フレーム（１）の大きさは、図１・図２に示す様に全幅が約２３５ｍｍで、全長が約１４００ｍｍで、材質は外径が約６．５ｍｍの丸鋼でほぼ矩形状に形成され、パンフレット（Ｐ）収納用棚枠（１ａ）部は、材質が外径約３ｍｍの丸鋼をそれぞれ折り曲げて三段式の袋状を形成したものである。そして、上下ほぼ中程ヒンジ部（１ｂ）には左右両端にナット取り付け用のネジ部を有する外径約５ｍｍの丸鋼を溶着し、上端部には、表示板（４）取り付け用係止部（１ｃ）に二本の丸鋼（約３ｍｍ）を左右に懸架し溶着している。
【００１３】
又、スタンド（２）部も枠状フレーム（１）と同様に外径が約６．５ｍｍの丸鋼でほぼコの字状に形成され、上端ヒンジ部左右には、プレーンワッシャーを溶着し、枠状フレーム（１）のヒンジ部（１ｂ）にナットでそれぞれ係止し、上下中間部の表裏両面には、スタンドを固定する為の収納式係止部材（３）の係止部（２ａ）用の丸鋼（約６．５ｍｍ）を左右に懸架溶着し、逆Ｌ字状に折り曲げた係止部（３ａ）を有する収納式係止部材（３）の左右両端部をナットで固着し、保管する際には、ヒンジ部から折り畳んで収納可能にしたものである。
【００１４】
又、上記枠状フレーム（１）とスタンド（２）と収納式係止部材（３）の全面には、クロム鍍金が施され、錆び難く、外観的にも高級感を持たせている。
【００１５】
そして、次にパンフレット（Ｐ）の内容を表示する為の表示板（４）は、表示板本体（４ａ）がプラスチック等の樹脂製で形成され、表示板本体（４ａ）の表面にその内容を絵や文字を使用して記載し、且つ、裏面部上下二箇所には鍵状の樹脂製係止部材（４ｂ）が貼付されていて、上下方向にワンタッチで着脱出来る様に成っている。又、表示板（４）については、使用目的や用途に応じて内容を変更し、その都度取り替え可能にしたものである。
【００１６】
図３は、スタンド（２）及び係止部材（３）を折り畳んだ状態を示す、右側面図である。
【００１７】
又、図５はこの考案の使用状態を示す正面図で、図６（Ａ）は使用状態時の右側面図で、（Ｂ）は図６（Ａ）のａ部拡大詳細図である。
【産業上の利用可能性】
【００１８】
この考案は、軽量・安価で誰もが簡単に持ち運びが出来て、しかも、折り畳み・分割式で収納場所をとらない為、多くの市場に寄与する点で産業上の利用可能性を有する。
【図面の簡単な説明】
【００１９】
【図１】この考案の一実施例を示し、フレームの正面図である。
【図２】この考案の一実施例を示し、（Ａ）はフレームの右側面図で、（Ｂ）は図２（Ａ）のａ部拡大詳細図である。
【図３】この考案の一実施例を示し、スタンド（２）及び係止部材（３）を折り畳んだ状態を示す、右側面図である。
【図４】この考案の一実施例を示し、（Ａ）は表示板の正面図で、（Ｂ）は図４（Ａ）のａ−ａ断面図である。
【図５】この考案の使用例を示し、正面図である。
【図６】この考案の使用例を示し、（Ａ）は右側面図で、（Ｂ）は図６（Ａ）のａ部拡大詳細図である。
【符号の説明】
【００２０】
１  フレーム
１ａ  棚枠
１ｂ  ヒンジ部
１ｃ  係止部
１ｄ  ヒンジ部
２  スタンド
２ａ  係止部
３  収納式係止部材
３ａ  係止部
４  表示板
４ａ  表示板本体
４ｂ  係止部材
Ｌ  所定間隔
Ｐ  パンフレット
α  所定角度濱
【図１】
0003110151.tif 000003
【図２】
0003110151.tif 000004
【図３】
0003110151.tif 000005
【図４】
0003110151.tif 000006
【図５】
0003110151.tif 000007
【図６】
0003110151.tif 000008